(57)【特許請求の範囲】
【請求項１】
板状をなす硬質部の前後いずれか一方の縁部に配線コード挿通用の軟質部を備え、机の天板に形成された横長の配線用開口部を塞ぐカバー部材の前記硬質部における軟質部が設けられていない方の前後いずれか他方の縁部に、前記配線用開口部の前後の内面に設けられたいずれか一方の支持部に支持される支持片を設けるとともに、前記硬質部の下面に、平板状の上面板の前縁または後縁から前記軟質部の下方を通って前方または後方に延出し、その延出端部に、前記天板の配線用開口部の他方の支持部に支持される支持片を備える短寸の支持部材を、その前記上面板を前記硬質部の下面に当接させて、左右方向に移動可能に係合させたことを特徴とする机における配線用開口部のカバー装置。
【請求項２】
板状をなす硬質部の前後の縁部に配線コード挿通用の軟質部を備え、机の天板に形成された横長の配線用開口部を塞ぐカバー部材の前記硬質部の前後の縁部に、前記配線用開口部の前後の内面に設けられた支持部に支持される支持片を設けるとともに、前記硬質部の下面に、平板状の上面板の前後縁から前記軟質部の下方を通って前方及び後方に延出し、その延出端部に、前記前後の各支持部に支持される支持片を備える短寸の支持部材を、その前記上面板を前記硬質部の下面に当接させて、左右方向に移動可能に係合させたことを特徴とする机における配線用開口部のカバー装置。
【請求項３】
少なくとも、２個の支持部材を、横長のカバー部材の下面の左右両端部付近に係合した請求項１または２記載の机における配線用開口部のカバー装置。
【請求項４】
カバー部材の支持片と支持部材の支持部とに近接する内方の下面に、それぞれ配線用開口部内面の前後の支持部の下縁に弾性的に係合する係合片を設けた請求項１〜３のいずれかに記載の机における配線用開口部のカバー装置。
【発明の詳細な説明】
【０００１】
【発明の属する技術分野】
本発明は、ＯＡ機器等を載置する机の天板の後部に設けられた配線用ダクトの上面の開口部を覆うカバー装置に関する。
【０００２】
【従来の技術】
ＯＡ機器類を載置する机の天板の後部には、コード類を配線するためのダクトが形成されており、その開口部には、ダクトカバーと呼ばれるカバー部材が装着されている。このように、ダクトにカバー部材を装着したものとしては、例えば特開平１０−５７１５１号公報に記載されているものがある。
【０００３】
【発明が解決しようとする課題】
上記従来の装置では、カバー部材は、天板の後部枠材に固定的に係合された複数の浮き上がり防止材により支持されているため、ＯＡ機器等のコード類が浮き上がり防止材に邪魔されて、最適な配線に支障を来し、ＯＡ機器や、電話、照明器具、コンセント等の机上における位置が制約されることがある。
【０００４】
本発明は、上述の問題点に鑑み、カバー部材の下面に取り付けられる支持部材を左右方向に移動可能とし、机上の最適位置に載置したＯＡ機器等のコード類を支障なく配線しうるようにした机における配線用開口部のカバー装置を提供することを目的としている。
【０００５】
【課題を解決するための手段】
本発明によると、上記課題は、次のようにして解決される。
（１）板状をなす硬質部の前後いずれか一方の縁部に配線コード挿通用の軟質部を備え、机の天板に形成された横長の配線用開口部を塞ぐカバー部材の前記硬質部における軟質部が設けられていない方の前後いずれか他方の縁部に、前記配線用開口部の前後の内面に設けられたいずれか一方の支持部に支持される支持片を設けるとともに、前記硬質部の下面に、平板状の上面板の前縁または後縁から前記軟質部の下方を通って前方または後方に延出し、その延出端部に、前記天板の配線用開口部の他方の支持部に支持される支持片を備える短寸の支持部材を、その前記上面板を前記硬質部の下面に当接させて、左右方向に移動可能に係合させる。
【０００６】
(２) 板状をなす硬質部の前後の縁部に配線コード挿通用の軟質部を備え、机の天板に形成された横長の配線用開口部を塞ぐカバー部材の前記硬質部の前後の縁部に、前記配線用開口部の前後の内面に設けられた支持部に支持される支持片を設けるとともに、前記硬質部の下面に、平板状の上面板の前後縁から前記軟質部の下方を通って前方及び後方に延出し、その延出端部に、前記前後の各支持部に支持される支持片を備える短寸の支持部材を、その前記上面板を前記硬質部の下面に当接させて、左右方向に移動可能に係合させる。
【０００７】
（３）上記(１)または(２)項において、少なくとも、２個の支持部材を、横長のカバー部材の下面の左右両端部付近に係合する。
【０００８】
（４）上記(１)〜(３)項のいずれかにおいて、カバー部材の支持片と支持部材の支持部とに近接する内方の下面に、それぞれ配線用開口部内面の前後の支持部の下縁に弾性的に係合する係合片を設ける。
【０００９】
【発明の実施の形態】
図１は、本発明の配線用開口部のカバー装置の第１の実施形態を備える机(Ａ)の斜視図で、天板(１)の後端部には、左右方向を向くとともに、上面が開口する配線ダクト(２)が設けられている。この配線ダクト(２)の開口部には、前縁部にゴム等の軟質部(３)を有するカバー部材(４)が、複数（本実施形態では、２個）取付けられている。
天板(１)上に載置されたＯＡ機器等のコード類（図示略）は、カバー部材(４)の軟質部(３)を上方に撓ませて配線ダクト(２)内に配線される。
【００１０】
カバー部材(４)は、配線用ダクト(２)の開口部の一部を覆いうる大きさの横長矩形をなし、その軟質部(３)以外は、板状の硬質部(５)となっており、全体が合成樹脂により一体成形されている。
【００１１】
図２の平面図、及び図３の右側面図に示すように、各カバー部材(４)の下面の左右両端部付近には、短寸の支持部材(６)が、それぞれ左右方向に摺動可能に取り付けられている。
【００１２】
図３及び図７に示すように、カバー部材(４)の硬質部(５)の下面における前後の端部付近には、左右方向全長に亘って下向片(７)(７)が連設され、その上端部には、互いに対向状に内向きに突出するガイド片(7a)(7a)が連設されている。両ガイド片(7a)と硬質部(５)の下面との間の隙間は、ガイド溝(7b)(7b)となっている。
軟質部(３)は、断面が中空状の三角形をなし、硬質部(５)の前縁に、その上面と同一面をなすように一体的に連設されている。
【００１３】
硬質部(５)の後縁部には、下方に突出する短寸の支持片(８)が形成され、この支持片(８)は、配線ダクト(２)の後部内面、すなわち天板(１)の後枠材(９)における上下方向を向く前側壁(9a)の上端部に内向きに突設された上向き鉤状の支持部(10)内に上方より嵌合されて支持される。
【００１４】
上記後方の下向片(７)の下端には、後方に円弧状に湾曲する弾性係合片(11)が一体的に形成されている。
【００１５】
支持部材(６)は、例えば硬質合成樹脂により一体成形され、図４ないし図６、及び図７に示すように、その後半部の平坦をなす上面板(12)の前端縁には、上記カバー部材(４)の前側のガイド片(7a)を上下より挾持しうる保持片(12a)が、また同じく後端縁には、カバー部材(４)の後側のガイド溝(7b)内に摺動可能に嵌合可能な保持片(12b)が、それぞれ外向に突設されている。
【００１６】
支持部材(６)の前半部には、カバー部材(４)の軟質部(３)の下部が入り込む傾斜板(13)が形成され、その前端には、下方に突出する短寸の支持片(14)が形成されている。この支持片(14)は、図７及び図８に示すように、配線用ダクト(２)の前部側の内面(2a)の上端部に設けた上向き鉤状の支持部(15)内に上方より嵌合されるようになっている。
支持部(15)よりも若干内方には、弾性係合片(16)が下向きに形成されている。
【００１７】
支持部材(６)の前後方向の寸法は、カバー部材(４)のそれよりも若干小寸とされ、図８に示すように、配線ダクト(２)内の前面(2a)の支持部(15)に傾斜板(13)の支持片(14)を嵌合したとき、後部の支持部(10)の前面と支持部材(６)の後端に形成した垂下片(17)の後面との間に、カバー部材(４)の係合片(11)が挾入可能な隙間が形成されるようになっている。
【００１８】
カバー部材(４)を支持部材(６)に取り付けるには、まずカバー部材(４)を支持部材(６)の側方に位置させた状態で、カバー部材(４)における硬質部(５)直下の前側のガイド片(7a)を支持部材(６)の前側の上下の保持片(12a)間に、かつ同じく、後側のガイド溝(7b)を支持部材(６)の後側の保持片(12b)に、それぞれ同時に横方向からはめ込むことにより、互いに左右方向に摺動可能に係合させる（図２、図３参照）。
【００１９】
このようにしてカバー部材(４)の両端部下面に支持部材(６)を組付けた状態で、図７の矢印で示すように、天板(１)の配線ダクト(２)の開口部に上方より落とし込むと、図８に示すように、カバー部材(４)の後端部の係合片(11)が、後部側の支持部(10)の下端縁に弾性的に係合するとともに、支持部材(６)の後端部の係合片(16)が、前部側の支持部(15)の下端縁に弾性的に係合することにより、上方への抜け止めがなされて取付けられる。
【００２０】
カバー部材(４)を配線ダクト(２)の開口部に止着した後でも、その軟質部(３)を通して、コード類を配線ダクト(２)内に引き入れることができる。この際、ＯＡ機器等の載置位置により支持部材(６)がコード類の挿入の妨げとなる位置にあるときには、支持部材(６)を支障ない位置まで左右方向に移動させればよい。
【００２１】
なお、上述した第１の実施形態においては、カバー部材(４)を、その軟質部(３)が前となるように止着しているが、カバー部材(４)と支持部材(６)とを前後反対向きとして、軟質部(３)が後側に位置するように止着することもできる。
【００２２】
図９及び図１０は、本発明の第２の実施形態を示す。
この第２の実施形態では、カバー部材(４)における若干前後長を短寸とした硬質部(５)の後縁部と後端部下面にも、上記第１の実施形態の前縁部と同様の軟質部(３)と、ガイド片(7a)を有する下向片(７)とを、前後対称的に連設してある。
【００２３】
また、支持部材(６)における前後寸法を若干小とした上面板(12)の後縁部にも、第１の実施形態と同様の後方に延出する傾斜板(13)、支持片(14)、弾性係合片(16)、及び上下の保持片(12a)を前後対称的に連設してある。
【００２４】
この実施形態のカバー部材(４)を支持部材(６)に取付けるには、その前後のガイド片(7a)を支持部材(６)の前後の上下の保持片(12a)間に側方から嵌め込めばよく、これにより互いに左右方向に摺動可能に取付けられる。
【００２５】
次いで、図１０に示すように、支持部材(６)の前後の係合片(16)を、配線ダクト(２)の開口部の内面に形成された前後の支持部(10)(15)の下端縁に弾性的に係合することにより、カバー部材(４)と支持部材(６)は、上方への抜け止めがなされて配線ダクト(２)の開口部に取付けられる。
【００２６】
【発明の効果】
請求項１記載の発明によれば、支持部材がカバー部材の下面に左右方向に移動可能に係合しているので、支持部材をコード類の配線に支障ない位置に移動させることにより、天板上に載置されるＯＡ機器等を、使用者が最も適した位置に配置することができる。したがって、ＯＡ機器等の種類に応じて最適な配線処理が行え、机上の機器類の美観がよく、また使用者にとって機器の操作性が向上する。
【００２７】
請求項２記載の発明によれば、軟質部がカバー部材の硬質部の前後両方に設けられているため、そのいずれかを利用して、より最適な配線処理を行うことができる。
【００２８】
請求項３記載の発明によれば、横長のカバー部材を安定的に取り付けることができる。
【００２９】
請求項４記載の発明によれば、カバー部材と支持部材とを、天板の配線用開口部にがたなくしっかりと取り付けることができる。
【図面の簡単な説明】
【図１】  本発明の配線用開口部のカバー装置の第１の実施形態を備える机の斜視図で、カバー部材の１つを上方から取り付ける状態を示す図である。
【図２】  同じく、カバー部材とその下面に取付けられた支持部材の平面図である。
【図３】  同じく、図２の右側面図である。
【図４】  同じく、支持部材の平面図である。
【図５】  図４のＶ−Ｖ線に沿う縦断側面図である。
【図６】  図４のＶＩ−ＶＩ線に沿う縦断側面図である。
【図７】  同じく、机の天板の後端部に形成した配線用開口部と、この部分に取り付けられるカバー部材と支持部材との縦断側面図である。
【図８】  同じく、配線用開口部にカバー部材と支持部材とを取付けた状態を示す縦断側面図である。
【図９】  本発明の第２の実施形態を示す配線用開口部と、カバー部材と支持部材との縦断側面図である。
【図１０】  同じく、配線用開口部にカバー部材と支持部材とを取付けた状態を示す縦断側面図である。
【符号の説明】
(Ａ)机
(１)天板
(２)配線ダクト
(2a)内面
(３)軟質部
(４)カバー部材
(５)硬質部
(６)支持部材
(７)下向片
(7a)ガイド片
(7b)ガイド溝
(８)支持片
(９)後部枠材
(10)支持部
(11)係合片
(12)上面板
(12a)(12b)保持片
(13)傾斜板
(14)支持片
(15)支持部
(16)係合片
(17)垂下片
【図１】
0004602530.tif 000002
【図２】
0004602530.tif 000003
【図３】
0004602530.tif 000004
【図４】
0004602530.tif 000005
【図５】
0004602530.tif 000006
【図６】
0004602530.tif 000007
【図７】
0004602530.tif 000008
【図８】
0004602530.tif 000009
【図９】
0004602530.tif 000010
【図１０】
0004602530.tif 000011